(57)【要約】      （修正有）【課題】同一チャネル干渉が存在したり、特定周波数位置の信号に歪曲が発生した場合に受信装置の性能を高めるための方法及びこれを用いたＯＦＤＭ受信装置を提供する。【解決手段】ＯＦＤＭシンボルに対して高速フーリエ変換を行い、ＯＦＤＭシンボルを周波数領域の複素シンボルに変換するフーリエ変換工程と、前記周波数領域の複素シンボルに基づいてチャネル状態情報を推定し、チャネル推定値を用いてチャネル歪曲が補償されたデータシンボルを生成するチャネル補償工程と、前記データシンボルをデータビットに量子化するデマッピング工程と、前記データビットを復号化して送信データビットを復元する復号化工程とを含み、前記フーリエ変換工程と前記復号化工程との間に、干渉信号の位置情報に基づいて、前記干渉信号の位置に対応する信号値の加重値を調節する工程をさらに行う。【選択図】図１
2015027069.tif 000002
【特許請求の範囲】
【請求項１】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）受信装置でＯＦＤＭ受信信号を処理する方法であって、
ＯＦＤＭシンボルに対して高速フーリエ変換（Ｆａｓｔ  Ｆｏｕｒｉｅｒ  Ｔｒａｎｓｆｏｒｍ：ＦＦＴ）を行い、ＯＦＤＭシンボルを周波数領域の複素シンボルに変換するフーリエ変換工程と、
前記周波数領域の複素シンボルに基づいてチャネル状態情報を推定し、チャネル推定値を用いてチャネル歪曲が補償されたデータシンボルを生成するチャネル補償工程と、
前記データシンボルをデータビットに量子化するデマッピング工程と、
前記データビットを復号化して送信データビットを復元する復号化工程とを含み、
前記フーリエ変換工程と前記復号化工程との間に、干渉信号の位置情報に基づいて、前記干渉信号の位置に対応する信号値の加重値を調節する工程をさらに行うことを特徴とするＯＦＤＭ受信信号の処理方法。
【請求項２】
前記加重値を調節する工程は、前記複素シンボルに対して、干渉信号が検出された位置に対応する信号値に加重値Ｎ（ここで、０≦Ｎ＜１）を付与することを特徴とする請求項１に記載のＯＦＤＭ受信信号の処理方法。
【請求項３】
前記加重値を減少させる工程は、前記データビットに対して、干渉信号が検出された位置に対応する信号値に加重値Ｎ（ここで、０≦Ｎ＜１）を付与することを特徴とする請求項１に記載のＯＦＤＭ受信信号の処理方法。
【請求項４】
前記干渉信号は、前記ＯＦＤＭ受信信号に含まれた同一チャネル干渉信号であることを特徴とする請求項１に記載のＯＦＤＭ受信信号の処理方法。
【請求項５】
前記干渉信号は、特定周波数位置の信号値に歪曲を起こす信号であることを特徴とする請求項１に記載のＯＦＤＭ受信信号の処理方法。
【請求項６】
前記ＯＦＤＭシンボルから干渉信号の位置を検出する工程と、
前記干渉信号を除去するために前記ＯＦＤＭシンボルに対してノッチフィルタリングを行う工程とをさらに含む、請求項１に記載のＯＦＤＭ受信信号の処理方法。
【請求項７】
ＯＦＤＭ受信装置でのＯＦＤＭ受信信号の処理方法であって、
ＯＦＤＭシンボルに対して高速フーリエ変換を行い、ＯＦＤＭシンボルを周波数領域の複素シンボルに変換するフーリエ変換工程と、
前記周波数領域の複素シンボルに基づいてチャネル状態情報を推定してチャネル推定値を生成する工程と、
干渉信号の位置情報に基づいて、前記干渉信号の位置に対応するチャネル推定値の加重値を調節する工程と、
加重値が調節されたチャネル推定値を用いてチャネル歪曲を補償したデータシンボルを生成するチャネル補償工程と、
前記データシンボルをデータビットに量子化するデマッピング工程と、
前記データビットを復号化して送信データビットを復元する復号化工程とを含むＯＦＤＭ受信信号の処理方法。
【請求項８】
前記チャネル推定値の加重値を調節する工程は、干渉信号が検出された位置に対応するチャネル推定値に加重値Ｎ（ここで、０≦Ｎ＜１）を付与することを特徴とする請求項７に記載のＯＦＤＭ受信信号の処理方法。
【請求項９】
ＯＦＤＭシンボルを周波数領域の複素シンボルに変換するフーリエ変換部と、
前記周波数領域の複素シンボルに基づいてチャネル状態情報を推定するチャネル推定値を生成するチャネル推定部と、
前記チャネル推定値を用いてチャネル歪曲が補償されたデータシンボルを生成するチャネル補償部と、
前記データシンボルをデータビットに量子化するデマッパーと、
前記データビットを復号化して送信データビットを復元するチャネル復号部とを含み、
前記フーリエ変換部、前記チャネル補償部及び前記デマッパーのうちいずれか一つは、干渉信号の位置に対応する信号値の加重値を調節する機能を含むように構成されたことを特徴とするＯＦＤＭ受信装置。
【請求項１０】
ＯＦＤＭシンボルを周波数領域の複素シンボルに変換するフーリエ変換部と、
前記複素シンボルに基づいてチャネル状態情報を推定してチャネル推定値を生成し、生成されたチャネル推定値のうち干渉信号の位置に対応する推定値の加重値を調節するように構成されたチャネル推定部と、
加重値が調節されたチャネル推定値を用いてチャネル歪曲が補償されたデータシンボルを生成するチャネル補償部と、
前記データシンボルをデータビットに量子化するデマッパーと、
前記データビットを復号化して送信データビットを復元する復号化部とを含むＯＦＤＭ受信装置。
【請求項１１】
ＯＦＤＭ受信装置の信号処理方法であって、
ＲＦ（Raｄｉｏ  Ｆｒｅｑｕｅｎｃｙ）信号に基づいて周波数領域のＯＦＤＭシンボルを生成する工程と、
前記周波数領域のＯＦＤＭシンボルに対して、少なくともチャネル歪曲補償及びデマッピングを行ってデータビットを生成する工程と、
前記データビットを復号化して送信データビットを復元する工程とを含み、
前記各工程のうち周波数領域で演算を行ういずれか一つの工程で、干渉信号の周波数位置に対応する周波数成分に０より大きいかそれと同じで、１より小さい加重値を付与することを特徴とするＯＦＤＭ受信装置の信号処理方法。
【請求項１２】
ＯＦＤＭ受信装置の信号処理方法であって、
ＲＦ信号に基づいて周波数領域のＯＦＤＭシンボルを生成する工程と、
前記周波数領域のＯＦＤＭシンボルに対して、少なくともチャネル歪曲補償及びデマッピングを行ってデータビットを生成する工程と、
前記データビットを復号化して送信データビットを復元する工程と、を含み、
前記チャネル歪曲補償は、干渉信号の周波数位置に対応する値に０より大きいかそれと同じで、１より小さい加重値が付与されたチャネル推定値を用いることを特徴とするＯＦＤＭ受信装置の信号処理方法。
【発明の詳細な説明】
【技術分野】
【０００１】
本実施例は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）受信信号の処理方法及びこれを用いたＯＦＤＭ受信装置に関し、より詳細には、同一チャネル干渉（同一チャンネル干渉）が存在したり、特定の周波数位置で信号の歪曲が発生した場合にＯＦＤＭ受信装置の性能を高めるための方法及びこれを用いたＯＦＤＭ受信装置に関する。
【背景技術】
【０００２】
この部分に記述した内容は、単純に本実施例に対する背景情報を提供するだけで、従来技術を構成するものではない。
【０００３】
一般的なＯＦＤＭシステムでは、送受信しようとするデータの信頼性を高めるためにエラー訂正符号を使用する。送信機では、送信しようとする信号にチャネル符号方式に従って異なる形態の構造的な余裕分（冗長性：Ｒｅｄｕｎｄａｎｃｙ）を追加した後でその信号を送信し、受信装置では、該当の余裕分の情報を用いて信号に含まれたエラーの検出及び訂正を行う。受信装置で使用されるチャネル復号部の入力は、受信された信号と推定されたチャネル情報とを組み合わせて作られるが、それぞれの値は、該当の信号として‘０’又は‘１’が受信された可能性を意味する。例えば、チャネル復号部の入力が‘０’に近いほど、該当の受信信号がどのような値であるかをよく知らないことを意味し、入力の絶対値が大きくなるほど、該当の受信信号が‘０’であるか、それとも‘１’であるかをより正確に知っていることを意味する。
【０００４】
ＯＦＤＭシステムでは、特定の副搬送波のチャネル状態情報が大きいほど、該当の副搬送波の信号に加えられる雑音の強さは相対的に小さくなるので、該当の副搬送波の受信正確度は高いと見なすことができ、そのような情報が値として表現されてチャネル復号部に入っていく構造を有する。
【０００５】
ところが、同一チャネル干渉信号があると、各種同期化ブロックの安定性が大きく低下するおそれがあり、チャネル状態情報を推定するにおいても非常に不正確になるだけでなく、該当の周波数位置で損傷した信号値が相当大きい値を有した状態でチャネル復号部の入力に入るようになり、チャネル復号部の性能を相当大きく低下させ得る。
【０００６】
従来の技術では、一般に同一チャネル干渉信号を予め検出し、影響を受ける副搬送波位置の信号値を急激に減少させるノッチフィルター（Ｎｏｔｃｈ  Ｆｉｌｔｅｒ）を使用して同一チャネル干渉信号を予め除去することによって、受信装置の動作安定性を確保し、チャネル状態情報の推定正確度を高め、チャネル復号部の入力が非正常的に大きくなることを防止する。
【０００７】
しかし、前記のようなノッチフィルターを用いた方法に従うとしても、同一チャネル干渉信号が常にきれいに除去されるわけではない。例えば、干渉信号が単一トーン（単一基調の）雑音の形態でありながら、二つの副搬送波間に位置する場合や、干渉信号のサイズが所望の信号よりも非常に大きい場合は、ノッチフィルターを通過した後でも干渉信号が残るおそれがあり、干渉信号が残らないようにノッチフィルターの除去帯域幅（Ｒｅｊｅｃｔｉｏｎ  Ｂａｎｄｗｉｄｔｈ）を増加させると、干渉信号位置の周辺にある各信号値も共に除去されるので、却って性能が低下するという逆効果が発生し得る。
【発明の開示】
【発明が解決しようとする課題】
【０００８】
本実施例は、ＯＦＤＭ受信装置で同一チャネル干渉が存在したり、特定周波数位置の信号に歪曲が発生した場合に受信装置の性能を高めるための方法及びこれを用いたＯＦＤＭ受信装置を提供することを主な目的とする。
【課題を解決するための手段】
【０００９】
本実施例では、同一チャネル干渉が検出された位置に該当する副搬送波の受信情報に、フーリエ変換器の出力後からチャネル復号部に入っていく前までの任意の位置において、１より小さい値を掛けることによって、フーリエ変換器の後段において動作する各ブロックの安定性とチャネル復号部の性能を改善させる方法を提案する。前記の方法は、チューナーで使用するアナログ高周波通過フィルターと同様に、特定位置に信号歪曲が発生する場合における性能改善のためにも使用することができる。
【００１０】
本実施例の一側面によると、ＯＦＤＭシンボルに対して高速フーリエ変換（Ｆａｓｔ  Ｆｏｕｒｉｅｒ  Ｔｒａｎｓｆｏｒｍ：ＦＦＴ）を行い、ＯＤＦＭ信号を周波数領域の複素シンボルに変換するフーリエ変換工程と、前記周波数領域の複素シンボルに基づいてチャネル状態情報を推定し、チャネル推定値を用いてチャネル歪曲が補償されたデータシンボルを生成するチャネル補償工程と、前記データシンボルをデータビットに量子化するデマッピング（Ｄｅｍａｐｐｉｎｇ）工程（量子化工程）と、前記データビットを復号化して送信データビットを復元する復号化工程とを含み、前記フーリエ変換工程と前記復号化工程との間には、干渉信号の位置情報に基づいて、前記干渉信号の位置に対応する信号値の加重値を調節する工程をさらに行うことを特徴とするＯＦＤＭ受信装置においてＯＦＤＭ受信信号を処理する方法を提供する。
【００１１】
前記加重値を調節する工程は、前記複素シンボルに対して、干渉信号が検出された位置（座標、位相、周波数）に対応する信号値に加重値Ｎ（ここで、０≦Ｎ＜１）を付与するように構成することができる。
【００１２】
また、前記加重値を減少させる工程は、前記データビットに対して、干渉信号が検出された位置に対応する信号値に加重値Ｎ（ここで、０≦Ｎ＜１）を付与するように構成することができる。
【００１３】
また、前記干渉信号は、前記ＯＦＤＭ受信信号に含まれた同一チャネル干渉信号又は特定周波数位置の（特定周波数での、特定周波数における）信号値に歪曲を起こす信号であり得る。
【００１４】
併せて、ＯＦＤＭ受信信号を処理する方法は、前記ＯＦＤＭシンボルから干渉信号の位置（位相、周波数成分）を検出する工程と、前記干渉信号を除去するために前記ＯＦＤＭシンボルに対してノッチフィルタリング（Ｎｏｔｃｈ  Ｆｉｌｔｅｒｉｎｇ）を行う工程とをさらに含むことができる。
【００１５】
本実施例の他の側面によると、ＯＦＤＭシンボルに対して高速フーリエ変換を行い、ＯＦＤＭシンボルを周波数領域の複素シンボルに変換するフーリエ変換工程と、前記周波数領域の複素シンボルに基づいてチャネル状態情報を推定し、チャネル推定値を生成する工程と、干渉信号の位置情報に基づいて、前記干渉信号の位置に対応するチャネル推定値の加重値を調節する工程と、加重値が調節されたチャネル推定値を用いてチャネル歪曲を補償したデータシンボルを生成するチャネル補償工程と、前記データシンボルをデータビットに量子化するデマッピング（Ｄｅｍａｐｐｉｎｇ）工程と、前記データビットを復号化して送信データビットを復元する復号化工程とを含むＯＦＤＭ受信装置のＯＦＤＭ受信信号を処理する方法を提供する。
【００１６】
前記チャネル推定値の加重値を調節する工程は、干渉信号が検出された位置に対応するチャネル推定値に加重値Ｎ（ここで、０≦Ｎ＜１）を付与するように構成することができる。
【００１７】
本実施例の他の側面によると、ＯＦＤＭシンボルを周波数領域の複素シンボルに変換するフーリエ変換部と、前記周波数領域の複素シンボルに基づいてチャネル状態情報を推定するチャネル推定値を生成するチャネル推定部と、前記チャネル推定値を用いてチャネル歪曲が補償されたデータシンボルを生成するチャネル補償部と、前記データシンボルをデータビットに量子化するデマッピングと、前記データビットを復号化して送信データビットを復元するチャネル復号部とを含み、前記フーリエ変換部、前記チャネル補償部及び前記デマッピング部のうちいずれか一つは、干渉信号の位置に対応する信号値の加重値を調節する機能を含むように構成されたことを特徴とするＯＦＤＭ受信装置を提供する。
【００１８】
本実施例の他の側面によると、ＯＦＤＭシンボルを周波数領域の複素シンボルに変換するフーリエ変換部と、前記複素シンボルに基づいてチャネル状態情報を推定してチャネル推定値を生成し、生成されたチャネル推定値のうち干渉信号の位置に対応する推定値の加重値を調節するように構成されたチャネル推定部と、加重値が調節されたチャネル推定値を用いてチャネル歪曲が補償されたデータシンボルを生成するチャネル補償部と、前記データシンボルをデータビットに量子化するデマッピング部と、前記データビットを復号化して送信データビットを復元する復号化部とを含むＯＦＤＭ受信装置を提供する。
【００１９】
本実施例の他の側面によると、ＲＦ（Ｒａｄｉｏ  Ｆｒｅｑｕｅｎｃｙ）信号（高周波信号）に基づいて周波数領域のＯＦＤＭシンボルを生成する工程と、前記周波数領域のＯＦＤＭシンボルに対して、少なくともチャネル歪曲補償及びデマッピングを行ってデータビットを生成する工程と、前記データビットを復号化して送信データビットを復元する工程とを含み、前記各工程のうち周波数領域で演算を行ういずれか一つの工程で、干渉信号の周波数位置に対応する周波数成分に０より大きいかこれと同じで、１より小さい加重値を付与することを特徴とするＯＦＤＭ受信装置の信号処理方法を提供する。
【００２０】
本実施例の他の側面によると、ＲＦ信号に基づいて周波数領域のＯＦＤＭシンボルを生成する工程と、前記周波数領域のＯＦＤＭシンボルに対して、少なくともチャネル歪曲補償及びデマッピングを行ってデータビットを生成する工程と、前記データビットを復号化して送信データビットを復元する工程とを含み、前記チャネル歪曲補償は、干渉信号の周波数位置に対応する値に０より大きいかそれと同じで、１より小さい加重値が付与されたチャネル推定値を用いることを特徴とするＯＦＤＭ受信装置の信号処理方法を提供する。
【発明の効果】
【００２１】
以上で説明したように、本実施例によると、同一チャネル干渉を除去するためのノッチフィルタリングされた受信信号に含まれた残余（冗長的な）干渉成分が、フーリエチャネル変換器の後段の機能ブロック及び／又はチャネル復号部に入力されることを防止することによって、結果的に受信装置の性能を改善する。
【００２２】
また、本実施例に係る干渉信号除去方法によると、ノッチフィルタリングされた受信信号に含まれた残余干渉成分を効果的に除去できるので、既存より帯域幅の狭いノッチフィルターが使用可能になり、これに対応してノッチフィルタリングによって発生する元信号、すなわち、歪曲されていない信号成分の損失を最小化することができる。
【００２３】
併せて、特定周波数に信号歪曲が発生する場合にも、該当する位置（座標、位相、周波数）の誤った信号値がチャネル復号部に入力されないように処理することによって、チャネル復号部の性能を改善することができる。
【図面の簡単な説明】
【００２４】
【図１】一般的なＯＦＤＭ受信装置の構造を例示した図である。
【図２】単一トーン形態の同一チャネル干渉信号がある場合にＯＦＤＭ受信装置の各機能ブロックで処理される信号を周波数領域で例示した図である。
【図３】本発明の一実施例に係るＯＦＤＭ受信信号で同一チャネル干渉信号を処理する方法を例示したフローチャートである。
【図４】本発明の他の実施例に係るＯＦＤＭ受信信号で同一チャネル干渉信号を処理する方法を例示したフローチャートである。
【発明を実施するための形態】
【００２５】
以下、本発明の一部の実施例を例示的な図面を通して詳細に説明する。各図面の各構成要素に参照符号を付加するにおいて、同一の構成要素に対しては、異なる図面上に表示されるとしても、可能な限り同一の符号を付していることに留意すべきである。また、本発明を説明するにおいて、関連する公知の構成又は機能に対する具体的な説明が本発明の要旨を不明瞭にし得ると判断される場合は、それについての詳細な説明は省略する。
【００２６】
明細書全体において、ある部分がある構成要素を‘含む'、‘備える'と言うとき、これは、特別に反対の記載がない限り、他の構成要素を除外するのではなく、他の構成要素をさらに含むことができることを意味する。また、明細書に記載した‘…部'、‘モジュール'などの用語は、少なくとも一つの機能や動作を処理する単位を意味し、これは、ハードウェアやソフトウェア又はハードウェアとソフトウェアとの結合で具現することができる。
【００２７】
図１は、一般的なＯＦＤＭ受信装置の構造を例示した図である。
【００２８】
図１を参照すると、一般的なＯＦＤＭ受信装置は、同一チャネル干渉信号を検出する干渉検出部１１０と、検出された干渉信号を除去するためにＯＦＤＭシンボルに対してフィルタリングを行うノッチフィルター１２０と、ノッチフィルタリングされたＯＦＤＭ信号に対して高速フーリエ変換（Ｆａｓｔ  Ｆｏｕｒｉｅｒ  Ｔｒａｎｓｆｏｒｍ：ＦＦＴ）を行い、周波数領域の複素シンボルを生成するＦＦＴ部１３０と、パイロット信号などを用いて各副搬送波別チャネル状態情報を推定するチャネル推定部１４０と、推定されたチャネル状態情報に基づいて周波数領域の複素シンボルに対してチャネル補償を行い、チャネル歪曲が補償されたデータシンボルを生成するチャネル補償部１５０と、チャネル補償された信号及びチャネル状態情報を用いてデマッピング、すなわち、データシンボルをデータビットに量子化するデマッパー１６０と、デマッピングされた信号（すなわち、データビット）を復号化して送信データビットを復元するチャネル復号部１７０とを含む。
【００２９】
図１の例示とは異なり、ＯＦＤＭ受信装置は、その適用分野に応じて、一部の機能ブロック間の順序を異ならせたり、各機能ブロック間に図示されていない他の機能ブロックを含むこともできる。例えば、ＦＦＴ部の前段には、ＲＦ（Ｒａｄｉｏ  Ｆｒｅｑｕｅｎｃｙ）信号を受信してＯＦＤＭシンボルに変換するＲＦ部と、ＲＦ部のＯＦＤＭシンボルを並列形態に変換するＳ／Ｐ変換部と、Ｓ／Ｐ変換部からのＯＦＤＭシンボル間の保護区間を除去する保護区間除去部とをさらに含ませることができる。また、ＦＦＴの後段には、周波数領域の複素シンボルをデータシンボルとパイロットシンボルとに分離する副搬送波デマッピング部をさらに含ませることができ、チャネル推定部は、パイロットシンボルを用いてチャネル歪曲を推定するように構成することができる。
【００３０】
図２は、単一トーン形態の同一チャネル干渉信号がある場合にＯＦＤＭ受信装置の各機能ブロックで処理される信号を周波数領域で例示した図である。
【００３１】
図２の（ａ）は、ノッチフィルター１２０を通過する前の受信信号の形状を示したものである。ＯＦＤＭ受信装置では、干渉信号を検出し、検出された位置（周波数）の干渉成分除去のために受信信号をノッチフィルター１２０に通過させる。干渉信号のサイズが大きい場合は、ノッチフィルタリングを経るとしても、図２の（ｂ）に示したように、干渉信号成分が多少減少するが、依然として他の信号よりも大きく存在し得る。この場合、残存した干渉信号成分が以後の同期化ブロックに影響を与えることによって、受信装置の安定性が低下し得る。特に、残存した干渉信号成分が他の信号より大きい場合、誤った情報が大きな加重値を有する状態でチャネル復号部に入力されることによって、チャネル復号部の性能が低下する。このような性能低下を防止するためにノッチフィルター１２０の除去帯域幅を広く設定することによって、図２の（ｃ）に示したように、干渉信号を十分に小さくすることは可能である。しかし、広い除去帯域幅により、周辺の各受信信号までノッチフィルター１２０によって切られてしまい、結果的に受信装置の性能が低下するという結果をもたらす。
【００３２】
本実施例では、同一チャネル干渉が検出されたとき、干渉によって歪曲が発生した副搬送波付近の情報が同期化ブロック及びチャネル復号部１７０に入っていくことを防止するために、該当する位置（位相、周波数）のチャネル補償されたデータの加重値を減少させる方法と、推定されたチャネル状態情報値の加重値を減少させる方法とを提案する。
【００３３】
本発明の一実施例によると、図１のＦＦＴ部１３０とチャネル復号部１７０との間のいずれか一つの位置で、同一チャネル干渉が検出された位置付近の受信信号に０より大きいかそれと同じで、１より小さい値を掛けることによって加重値を減少させる。例えば、図１のＦＦＴ部１３０の出力で加重値を減少させ、干渉や歪曲成分が、ＦＦＴ部１３０の出力を用いる同期化ブロックとチャネル状態情報を推定する機能ブロック１４０に影響を与えないように遮断することもでき、チャネル復号部１７０の入力に入る直前にデマッパー（デマッピング部、量子化部）１６０の出力から出る対数尤度比による出力値の加重値を減少させることもできる。いずれの場合にも簡単に具現できるので、状況に応じて適当な位置で荷重値を変更することができる。
【００３４】
本発明の他の実施例によると、図１のチャネル推定部１４０で生成したチャネル状態情報（すなわち、チャネル推定値）に０より大きいかそれと同一で、１より小さい値を掛けることによって加重値を減少させる。加重値が調節されたチャネル推定値に基づいてチャネル補償及びデマッピングが行われることによって、情報値が歪曲された状態でチャネル復号部に入っていくことを防止することができる。
【００３５】
提案された各方法によると、干渉信号に該当する値がＦＦＴ部１３０の後段の機能ブロックに入力されることを遮断することによって受信装置の安定性を確保することができ、干渉信号によって損傷した各入力信号が大きな値を有した状態でチャネル復号部１７０に入っていくことを防止することによって、単純にノッチフィルタリングのみを適用した場合よりもチャネル復号部１７０の性能を改善させることができる。
【００３６】
上述した各方法は、同一チャネル干渉がある場合を例示して説明したが、本実施例の適用範囲がこれに限定されることはない。例えば、チューナーで使用するアナログ高周波通過フィルターのように、特定の周波数位置に信号の歪曲を発生させる場合に該当の位置の推定されたチャネル状態情報が不正確になるが、この場合、上述した各方法を適用し、その位置の情報値が歪曲された状態でチャネル復号部に入っていくことを防止するように設定することによって、受信装置の性能を改善させることもできる。
【００３７】
図３は、本発明の一実施例に係るＯＦＤＭ受信信号で同一チャネル干渉信号を処理する方法を例示したフローチャートである。
【００３８】
図３に例示した実施形態では、周波数領域の複素シンボルに対してチャネル補償が行われる前に、同一チャネル干渉信号に対する処理（すなわち、加重値適用）を行う。まず、受信信号又はＯＦＤＭシンボルから同一チャネル干渉信号情報（例えば、干渉信号のサイズ、周波数など）を検出する（Ｓ３１０）。次に、検出された干渉信号情報に基づいてＯＦＤＭシンボルに対するノッチフィルタリングを行う（Ｓ３２０）。次に、フィルタリングされた信号に対して高速フーリエ変換を行い、時間領域のＯＦＤＭシンボルを周波数領域の複素シンボルに変換する（Ｓ３３０）。次に、検出された干渉信号情報に基づいて複素シンボルに対して、同一チャネル干渉が検出された位置（座標、周波数成分）付近の信号値に０より大きいかそれと同じで、１より小さい値を掛けることによって加重値を減少させる（Ｓ３４０）。次に、加重値が付与された複素シンボルをデータシンボルとパイロットシンボルとに分離し、パイロットシンボルを用いてチャネル状態情報、すなわち、チャネル歪曲を推定し、チャネル推定値を用いてデータシンボルのチャネル歪曲を補償する（Ｓ３５０）。次に、チャネル補償されたデータシンボルをデマッピングしてデータビットに量子化し、データビットを復号化して送信データビットを復元する復号化工程を行う（Ｓ３６０〜Ｓ３７０）。
【００３９】
上述したように、本実施例で提案する同一チャネル干渉信号に対する処理は、図３に例示したように、チャネル補償が行われる前の複素シンボルに対して適用することもでき、必要に応じて、チャネル補償が行われた後の複素シンボル又はデマッピング工程でデータシンボルをデータビットに量子化する直前に行うこともできる。
【００４０】
図４は、本発明の他の実施例に係るＯＦＤＭ受信信号で同一チャネル干渉信号を処理する方法を例示したフローチャートである。
【００４１】
図４に例示した実施形態では、周波数領域の複素シンボルに対してチャネル補償を行うのに使用されるチャネル推定値に対して加重値を付与することによって、チャネル補償と同時に、同一チャネル干渉による歪曲を補償する。まず、受信信号又はＯＦＤＭシンボルから同一チャネル干渉信号情報（例えば、干渉信号のサイズ、周波数など）を検出する（Ｓ４１０）。次に、検出された干渉信号情報に基づいてＯＦＤＭシンボルに対するノッチフィルタリングを行う（Ｓ４２０）。次に、フィルタリングされた信号に対して高速フーリエ変換を行い、時間領域のＯＦＤＭシンボルを周波数領域の複素シンボルに変換する（Ｓ４３０）。次に、複素シンボルをデータシンボルとパイロットシンボルとに分離し、パイロットシンボルを用いてチャネル状態情報を推定してチャネル推定値を生成する。生成されたチャネル推定値に対して、検出された干渉信号情報に基づいて同一チャネル干渉が検出された位置に対応するチャネル推定値に０より大きいかそれと同じで、１より小さい値を掛けることによって加重値を減少させる。加重値が付与されたチャネル推定値は、データシンボルのチャネル歪曲を補償するのに使用されることによって、チャネル補償と同時に、同一チャネル干渉による歪曲が同時に補償される（Ｓ４４０）。次に、補償されたデータシンボルをデマッピングしてデータビットに量子化し、データビットを復号化して送信データビットを復元する復号化工程を行う（Ｓ４５０〜Ｓ４６０）。
【００４２】
図３及び図４では、各工程（Ｓ３１０〜Ｓ３７０、Ｓ４１０〜Ｓ４６０）を順次実行することを記載しているが、これは、本発明の一実施例の技術思想を例示的に説明したものに過ぎない。換言すると、本発明の一実施例の属する技術分野で通常の知識を有する者であれば、本発明の一実施例の本質的な特性から逸脱しない範囲で図３及び図４に記載した順序を変更して実行したり、一つ以上の工程を並列的に行うことによって多様に修正及び変形して適用可能であるので、図３は、時系列的な順序に限定されるものではない。
【００４３】
一方、図３及び図４に示したフローチャートの各段階は、コンピューター可読記録媒体にコンピューター可読コードとして具現することが可能である。コンピューター可読記録媒体は、コンピューターシステムによって読まれるデータが格納される全ての種類の記録装置を含む。すなわち、コンピューター可読記録媒体は、マフネティック格納媒体（例えば、ＲＯＭ（Ｒｅａｄ  Ｏｎｌｙ  Ｍｅｍｏｒｙ）、フロッピー（登録商標）ディスク、ハードディスクなど）、光学的判読媒体（例えば、ＣＤ―ＲＯＭ、ＤＶＤなど）及びキャリアウェーブ（例えば、インターネットを介した伝送）などの格納媒体を含む。また、コンピューター可読記録媒体は、ネットワークで連結されたコンピューターシステムに分散され、分散方式でコンピューター可読コードを格納して実行することができる。
【００４４】
以上の説明は、本実施例の技術思想を例示的に説明したものに過ぎなく、本実施例の属する技術分野で通常の知識を有する者であれば、本実施例の本質的な特性から逸脱しない範囲で多様な修正及び変形が可能であろう。したがって、本実施例は、本実施例の技術思想を限定するためのものではなく、説明するためのもので、このような実施例によって本実施例の技術思想の範囲が限定されることはない。本実施例の保護範囲は、下記の特許請求の範囲によって解釈すべきであり、それと同等な範囲内の全ての技術思想は本実施例の権利範囲に含まれるものと解釈すべきであろう。
【符号の説明】
【００４５】
１００：干渉感知部、１２０：ノッチフィルター、１３０：ＦＦＴ部、１４０：チャネル推定部、１５０：チャネル補償部、１６０：デマッパー、１７０：チャネル復号部
【図１】
2015027069.tif 000003
【図２】
2015027069.tif 000004
【図３】
2015027069.tif 000005
【図４】
2015027069.tif 000006